(57)【特許請求の範囲】
【請求項１】
ボールを有しボールを抱持するための全周かしめ部を先端に形成したボールペンチップを軸体先端部より露出させてなる筆記具において、前記ボールと前記軸体先端部の肩部分との外接線よりも少なくとも内側に前記全周かしめ部の最先端小口が位置するよう、前記軸体先端部の全周を膨出形状にしたことを特徴とする筆記具。
【発明の詳細な説明】
【０００１】
【発明の属する技術分野】
本発明は、ボールを筆記媒体とするボールペンチップを有する筆記具に関し、特に、チップのボール抱持力の維持向上に関する。
【０００２】
【従来の技術】
ボールを筆記媒体とするボールペンまたは塗布具は、インキ収容筒に収容されたインキが重力と毛細管力によりチップ側に移動し、そのチップに抱持されたボールの表面にインキが供給されて付着し、ボールの回転につれてインキが紙面に転写吸収されることによって筆記または塗布がなされるようになっている。
【０００３】
この筆記または塗布は、ボールペンまたは塗布具の本体軸筒部分を紙面に対してやや傾けた状態で把持し、チップの先端部のボールを紙面に押圧接触せしめて行うが、この時、回転するボールとともに、チップの先端部にボールを抱持するために形成した全周かしめ部の最先端小口部分や、小口部分に連続するかしめの部分も紙面に接触せしめられる。
【０００４】
従来、ボールペンまたは塗布具のチップは、前記全周かしめ部を形成した際、その最先端小口部分と、最先端小口部分に連続するかしめの部分にはエッジが形成されているのが一般的である。この従来のチップは、筆記または塗布の状態で紙面に当接せしめれば、前記エッジが紙面に接触して引っかきを生じ、その結果、引っかきにより紙面が削られ、削られた紙繊維や紙かすがボールの回転につれて前記最先端小口部分よりチップの内縁に巻き込まれてしまうことがあった。
【０００５】
前記のような紙繊維や紙かすのチップ内縁への巻き込みは、筆記かすれや筆記切れなどの筆記不具合を生じせしめるので、特開平９−１２２５６６号公報に示されているように、前記エッジをバレル加工によって丸め処理し、紙面の引っかきを低減する方法も試みられたが、処理後のチップの先端部の寸法が一定しないこと、また、最先端小口部部分の肉厚・幅寸法が小さく仕上がってしまった場合などは、紙面との繰り返し接触によりその最先端小口部分が摩耗してしまい、ボールを抱持できない状態（ボール飛び）が発生するなどの問題があった。
【０００６】
【発明が解決しようとする課題】
本発明は、筆記の際の紙繊維や紙かすの巻き込み発生を回避することにより筆記かすれや筆記切れなどの筆記不具合を防止する好適な筆記具を得ることを目的とする。
【０００７】
【課題を解決するための手段】
本発明は、上記問題点に鑑みてなされたものであり、ボールを有しボールを抱持するための全周かしめ部を先端に形成したボールペンチップを軸体先端部より露出させてなる筆記具において、前記ボールと前記軸体先端部の肩部分との外接線よりも少なくとも内側に前記全周かしめ部の最先端小口が位置するよう、前記軸体先端部の全周を膨出形状にしたことを要旨とする。
【０００８】
【実施例】
本発明を添付の図面に従って説明する。図１は先軸１と中軸２と尾軸３を外装軸体として設けるとともに先軸１の先端部よりボールペンチップ４の先端を露出させた筆記具の、キャップ（図示しない）を外した状態の外観を示したものであり、また、図２は図１の筆記具を、先軸１のみ半断面図として内部の機構を現したものである。
【０００９】
前記先軸１の内方の先端側には、内蔵される筆記具リフィール５の先端部６を支持する複数のリブ７が配置されている。また、前記先軸１の後端側の内方には係合凹凸部８が形成され、中軸２の先軸側小径部９には全周リブ１０が配置されている。そして、前記係合凹凸部８が全周リブ１０を乗り越えて先軸１が中軸２に圧入装着され、中軸２に対して強く係合し、中軸２より先軸１が容易には外れないようになっている。
【００１０】
ここで、前記先軸１の外径寸法は６ｍｍ以上の寸法になっているが、先軸１の先端部の肩部分１ａはＲを有する滑らかな膨出形状（曲面）に形成されている。そして、前記ボールペンチップ４の、先軸１の前端面よりの突出量は３ｍｍ以下の寸法になっている。つまり、前記ボールペンチップ４の先軸１よりの突出量は、先軸１の外径寸法の２分の１以下の突出量に制限して設定されているのである。
【００１１】
前記リブ７はリフィール５の先端部６を支持しているが、このリブ７の後端に前記リフィール５のパイプ部前端が当接することによってボールペンチップ４の先軸１前端面よりの突出寸法が決められている。尚、リフィル５は、中軸２の後方に配置された尾軸３の内方突部（図示しない）でその後端を支えられている。一般に、ボールペンに使用されているリフィールのパイプ部は押し出し成形による成型品が使用されることが多いが、長手寸法がばらついても、前記リブ７の後端にパイプ部前端を当接させることでボールペンチップ４の突出寸法を狙いの値に定めることができるのである。
【００１２】
当該筆記具の外装軸体の材質としては、ハイインパクトスチロール、ポリカーボネート、ポリエチレンテレフタレート、ポリブチレンテレフタレート、耐衝撃性アクリル、ポリエチレン、ポリプロピレンなどや、それらのリサイクル材が用いられる。例え、筆記具が破断したとしても、破断面が鋭利になることがない。尚、前記先軸１は透明材で形成されても良い。また、中軸２に一体に成形されてもよい。
【００１３】
筆記具の先端部を拡大した図３に基づいて説明する。ボールペンチップ４は、ボール４ａを有し、先端にはこのボール４ａを抱持するための全周かしめ部４ｂが形成されている。そして、全周かしめ部４ｂの最先端はインキを吐出するとともに筆記持時の余分なインキをチップ内に取り込む最先端小口部分４ｃになっている。尚、前記全周かしめ部４ｂの最先端小口部分４ｃは前記ボール４ａと前記先軸１先端部の肩部分１ａとの外接線１１よりも少なくとも内側に位置するようになっている。
【００１４】
作用を説明する。軸体を紙面Ｐに対してやや傾けた状態で把持し、ボールペンチップ４の先端のボール４ａを紙面Ｐに押圧接触せしめて筆記を行う。この時、回転するボール４ａとともに、チップに形成した全周かしめ部４ｂの最先端小口部分４ｃも紙面に近接するが、前記ボール４ａと前記先軸１先端部の肩部分１ａとの外接線１１よりも少なくとも内側に前記全周かしめ部４ｂの最先端小口部分４ｃが位置しているので、例え先軸１先端部の肩部分１ａが紙面Ｐに接触したとしても前記最先端小口部分４ｃが直接紙面に触れることがない。
【００１５】
図４に第２例を示し説明する。前記例と同じ部分については説明を省略する。本例は、先軸１２の先端にチップホルダー１３を配置し、チップホルダー１３の先端部を膨出形状にしたものである。ボールペンチップ１４は、ボール１４ａを有し、全周かしめ部１４ｂの最先端小口部分１４ｃは前記ボール１４ａと前記チップホルダー１３先端部の肩部分１３ａとの外接線１５よりも少なくとも内側に位置するようになっている。
【００１６】
第２例の筆記具は筆記の際、ボールペンチップ１４の先端部分が見易いと言う利点がある。
【００１７】
この他にも種々なせる。先軸の外径寸法やボールペンチップの先軸よりの突出量は、もちろん例示した寸法以外の寸法を選択することができるし、また、先軸またはチップホルダーの先端部の肩部分については、Ｒを有する滑らかな膨出形状（曲面）に形成されているものを説明したが、膨出形状は先端部の全周に形成されている。
【００１８】
【発明の効果】
本発明は、ボールを有しボールを抱持するための全周かしめ部を先端に形成したボールペンチップを軸体先端部より露出させてなる筆記具において、前記ボールと前記軸体先端部の肩部分との外接線よりも少なくとも内側に前記全周かしめ部の最先端小口が位置するよう、前記軸体先端部の全周を膨出形状にしたので、筆記の際の紙繊維や紙かすの巻き込み発生を回避することができ、筆記かすれや筆記切れなどの筆記不具合を発生することのない好適な筆記具を得ることができるものである。
【図面の簡単な説明】
【図１】  本発明の筆記具の外観を示す図。
【図２】  図１の筆記具の先軸のみ半断面図として内部の機構を現した図。
【図３】  作用を説明する図。
【図４】  第２例を説明する図。
【符号の説明】
１  先軸
１ａ  肩部分
２  中軸
３  尾軸
４  ボールペンチップ
４ａ  ボール
４ｂ  全周かしめ部
４ｃ  最先端小口部分
５  リフィール
６  先端部
７  リブ
８  係合凹凸部
９  小径部
１０  全周リブ
１１  外接線
１２  先軸
１３  チップホルダー
１３ａ  肩部分
１４  ボールペンチップ
１４ａ  ボール
１４ｂ  全周かしめ部
１４ｃ  最先端小口部分
１５  外接線
Ｐ  紙面
【図１】
0003803767.tif 000002
【図２】
0003803767.tif 000003
【図３】
0003803767.tif 000004
【図４】
0003803767.tif 000005